(57)【要約】【課題】ユーザーの利便性を向上する。【解決手段】画像形成装置１は、第１スイッチＳＷ１と、受付部２０１と、取得部２０２と、決定部２０４と、遷移部２０５とを備える。受付部２０１は、第１スイッチＳＷ１に対する操作を受け付ける。取得部２０２は、第１動作状態ＳＴ１を示す第１動作状態情報ＳＴ１Ｊを取得する。決定部２０２は、第１動作状態情報ＳＴ１Ｊに基づいて、第１動作状態ＳＴ１と相違する第２動作状態ＳＴ２を決定する。遷移部２０５は、第１スイッチＳＷ１に対する操作に応じて、画像形成装置１を第１動作状態ＳＴ１から第２動作状態ＳＴ２に遷移させる。第１動作状態ＳＴ１及び第２動作状態ＳＴ２の各々は、画像形成装置１が動作している状態を示す。【選択図】図３
2019199039.tif 000002
【特許請求の範囲】
【請求項１】
キーと、
前記キーに対する操作を受け付ける受付部と、
第１動作状態を示す第１動作状態情報を取得する取得部と、
前記第１動作状態情報に基づいて、前記第１動作状態と相違する第２動作状態を決定する決定部と、
前記キーに対する操作に応じて、画像形成装置を前記第１動作状態から前記第２動作状態に遷移させる遷移部と
を備え、
前記第１動作状態及び前記第２動作状態の各々は、前記画像形成装置が動作している状態を示す、画像形成装置。
【請求項２】
前記第１動作状態及び前記第２動作状態の各々は、印刷状態と、印刷停止状態とを含み、
前記決定部は、
前記第１動作状態が前記印刷状態である場合には、前記第２動作状態を前記印刷停止状態に決定し、
前記第１動作状態が前記印刷停止状態である場合には、前記第２動作状態を前記印刷状態に決定し、
前記印刷状態は、前記画像形成装置が印刷処理を実行中の状態を示し、
前記印刷停止状態は、前記画像形成装置が印刷処理の実行が規制されている状態を示す、請求項１に記載の画像形成装置。
【請求項３】
前記第１動作状態及び前記第２動作状態の各々は、印刷状態と、印刷停止状態と、印刷キャンセル状態とを含み、
前記決定部は、
前記第１動作状態が前記印刷状態である場合には、前記第２動作状態を前記印刷停止状態に決定し、
前記第１動作状態が前記印刷停止状態である場合には、前記第２動作状態を前記印刷キャンセル状態に決定し、
前記印刷状態は、前記画像形成装置が印刷処理を実行中の状態を示し、
前記印刷停止状態は、前記画像形成装置が印刷処理の実行が規制されている状態を示し、
前記印刷キャンセル状態は、前記画像形成装置が印刷処理をキャンセル中の状態を示す、請求項１に記載の画像形成装置。
【請求項４】
前記第１動作状態及び前記第２動作状態の各々は、起動状態と、スリープ状態とを含み、
前記決定部は、
前記第１動作状態が前記起動状態である場合には、前記第２動作状態を前記スリープ状態に決定し、
前記第１動作状態が前記スリープ状態である場合には、前記第２動作状態を前記起動状態に決定する、請求項１から請求項３のいずれか１項に記載の画像形成装置。
【請求項５】
前記第１動作状態及び前記第２動作状態の各々は、起動状態と、スリープ状態と、電源オフ状態とを含み、
前記決定部は、
前記第１動作状態が前記電源オフ状態である場合には、前記第２動作状態を前記起動状態に決定し、
前記第１動作状態が前記起動状態である場合には、前記第２動作状態を前記電源オフ状態に決定し、
前記第１動作状態が前記スリープ状態である場合には、前記第２動作状態を前記起動状態に決定する、請求項１から請求項３のいずれか１項に記載の画像形成装置。
【請求項６】
前記操作は、第１操作と第２操作とを含み、
前記画像形成装置は、前記操作が前記第１操作であるか前記第２操作であるかを判定する判定部を更に備え、
前記決定部は、前記第１動作状態情報と、前記判定部の判定結果とに基づいて、前記第２動作状態を決定し、
前記第２操作は、所定時間内に前記キーを押下する回数と、前記キーを連続して押下する時間の長さとの少なくとも一方が前記第１操作と相違する、請求項１から請求項５のいずれか１項に記載の画像形成装置。
【請求項７】
前記第１操作及び前記第２操作から、少なくとも１つの操作を選択する選択部を更に備え、
前記受付部は、前記選択部が選択した操作を受け付ける、請求項６に記載の画像形成装置。
【請求項８】
前記キーと相違する電源スイッチを更に備え、
前記キーは、電源を操作可能であり、
前記電源スイッチがオフされた場合には、前記画像形成装置への電力の供給が規制される、請求項１から請求項７のいずれか１項に記載の画像形成装置。
【発明の詳細な説明】
【技術分野】
【０００１】
本発明は、画像形成装置に関する。
【背景技術】
【０００２】
特許文献１に記載のプリンターシステムは、プリンターと、パソコンとを備える。プリンターは、パソコンから送信される印刷データに基づいて、印刷動作を行う。プリンターは、電源キーと、ＣＰＵと、ＡＳＩＣとを備える。ＡＳＩＣは、バッファー領域とエラー情報記憶領域とを含む。ＣＰＵは、印刷動作中に電源キーが操作された場合には、電源はオン状態のままで印刷動作を停止する。また、ＣＰＵは、ＡＳＩＣのバッファー領域に記憶されている印刷データを削除し、ＡＳＩＣのエラー情報記憶領域にキャンセル情報を書き込む。パソコンは、バッファーメモリーを含む。パソコンは、エラー情報記憶領域のキャンセル情報を確認した場合に、パソコンのバッファーメモリーに記憶されている印刷データを削除する。
【先行技術文献】
【特許文献】
【０００３】
【特許文献１】特開２００１−２９３９３２号公報
【発明の概要】
【発明が解決しようとする課題】
【０００４】
しかしながら、特許文献１に記載のプリンターシステムでは、電源キーに対する操作によって印刷動作を停止できるが、プリンターに対して他の指示を行うことはできない可能性がある。したがって、ユーザーの利便性が充分ではない可能性がある。
【０００５】
本発明は、上記課題に鑑みてなされたものであり、ユーザーの利便性を向上可能な画像形成装置を提供することを目的としている。
【課題を解決するための手段】
【０００６】
本発明に係る画像形成装置は、キーと、受付部と、取得部と、決定部と、遷移部とを備える。前記受付部は、前記キーに対する操作を受け付ける。前記取得部は、第１動作状態を示す第１動作状態情報を取得する。前記決定部は、前記第１動作状態情報に基づいて、前記第１動作状態と相違する第２動作状態を決定する。前記遷移部は、前記画像形成装置を前記第１動作状態から前記第２動作状態に遷移させる。前記第１動作状態及び前記第２動作状態の各々は、前記画像形成装置が動作している状態を示す。
【発明の効果】
【０００７】
本発明の画像形成装置によれば、ユーザーの利便性を向上できる。
【図面の簡単な説明】
【０００８】
【図１】本発明の実施形態に係る画像形成装置の構成を示す図である。
【図２】画像形成装置の電源供給系統の構成の一例を示す図である。
【図３】本発明の実施形態に係る制御部の構成の一例を示す図である。
【図４】画像形成装置の動作状態の推移の一例を示す遷移図である。
【図５】制御部の処理の一例を示すフローチャートである。
【図６】画像形成装置の動作状態の推移の一例を示す遷移図である。
【図７】制御部の処理の一例を示すフローチャートである。
【図８】画像形成装置の動作状態の推移の一例を示す遷移図である。
【図９】制御部の処理の一例を示すフローチャートである。
【発明を実施するための形態】
【０００９】
以下、本発明の実施形態について、図面（図１〜図９）を参照しながら説明する。なお、図中、同一又は相当部分については同一の参照符号を付して説明を繰り返さない。
【００１０】
まず、図１を参照して、本発明の実施形態に係る画像形成装置１について説明する。図１は、画像形成装置１の構成を示す図である。図１に示すように、画像形成装置１は、プリンターである。画像形成装置１は、筐体１０、カセット給送部１１、搬送部１２、画像形成部１４、トナーコンテナ１５、定着部１７、排出部１８、排出トレイ１９、制御部２、第１スイッチＳＷ１及び第２スイッチＳＷ２を備える。画像形成部１４は、転写部１３及び現像部１６を含む。
【００１１】
筐体１０は、カセット給送部１１、搬送部１２、画像形成部１４、トナーコンテナ１５、定着部１７、排出部１８及び制御部２を収容する。
【００１２】
カセット給送部１１は、用紙を搬送部１２へ供給する。搬送部１２は、用紙を転写部１３及び定着部１７を経由して排出部１８まで搬送する。用紙は、「記録媒体」の一例に相当する。
【００１３】
画像形成部１４は、用紙に画像を形成する。画像形成部１４は、感光体ドラムを備える。感光体ドラムには、静電潜像が形成される。トナーコンテナ１５は、トナーを収容する。トナーコンテナ１５は、現像部１６にトナーを補給する。現像部１６は、静電潜像にトナーを供給してトナー像を形成する。転写部１３は、感光体ドラムに形成されたトナー像を用紙上に転写する。その結果、用紙に画像が形成される。
【００１４】
定着部１７は、加熱ローラー１７１と、加圧ローラー１７２とを備える。定着部１７は、加熱ローラー１７１と加圧ローラー１７２との間に用紙を挟むことによって用紙を加熱及び加圧し、用紙に形成された画像を用紙に定着する。排出部１８は、用紙を排出トレイ１９へ排出する。排出トレイ１９は、排出部１８が排出した用紙を載置する。
【００１５】
制御部２は、画像形成装置１の動作を制御する。制御部２は、プロセッサー２１及び記憶部２２を備える。プロセッサー２１は、例えばＣＰＵ（Ｃｅｎｔｒａｌ  Ｐｒｏｃｅｓｓｉｎｇ  Ｕｎｉｔ）を備える。記憶部２２は、半導体メモリーのようなメモリーを備え、ＨＤＤ（Ｈａｒｄ  Ｄｉｓｋ  Ｄｒｉｖｅ）を備えてもよい。記憶部２２は、制御プログラムを記憶している。プロセッサー２１は、制御プログラムを実行することによって、画像形成装置１の動作を制御する。
【００１６】
第１スイッチＳＷ１は、押しボタン式の電源スイッチである。第１スイッチＳＷ１は、ユーザーによる操作が容易な位置に配置される。第１スイッチＳＷ１は、例えば筐体１０の上面端部に配置される。第１スイッチＳＷ１は、「キー」の一例に相当する。
【００１７】
第２スイッチＳＷ２は、シーソー式の電源スイッチである。第２スイッチＳＷ２は、第１スイッチＳＷ１と比較して、ユーザーによる操作が容易ではない位置に配置される。第２スイッチＳＷ２は、例えば筐体１０の側面下部に配置される。第２スイッチＳＷ２は、「電源スイッチ」の一例に相当する。第１スイッチＳＷ１及び第２スイッチＳＷ２については、図２を参照して詳細に説明する。
【００１８】
次に、図１及び図２を参照して、画像形成装置１の電源供給系統の構成について説明する。図２は、画像形成装置１の電源供給系統の構成の一例を示す図である。図２に示すように、画像形成装置１は、電源制御部３を更に備える。
【００１９】
電源制御部３は、画像形成装置１の各部に電力を供給する。具体的には、電源制御部３は、制御部２に第１直流電圧ＶＤ１を供給する。また、電源制御部３は、画像形成部１４に第２直流電圧ＶＤ２を供給する。電源制御部３は、定着部１７に第３直流電圧ＶＤ３を供給する。第１直流電圧ＶＤ１は、例えば５Ｖである。第２直流電圧ＶＤ２は、例えば５００Ｖである。第３直流電圧ＶＤ３は、例えば１００Ｖである。
【００２０】
商用電源ＰＳは、交流電圧ＶＡを電源制御部３に供給する。交流電圧ＶＡは、例えば１００Ｖである。商用電源ＰＳから電源制御部３に電力を供給する回路には、第２スイッチＳＷ２が配置される。
【００２１】
第２スイッチＳＷ２は、第１端子ＴＭ１と第２端子ＴＭ２とを有する。第２スイッチＳＷ２がオンされた場合には、第１端子ＴＭ１と第２端子ＴＭ２とを導通させることによって、商用電源ＰＳから電源制御部３に電力を供給する。この場合には、商用電源ＰＳから画像形成装置１に電力が供給される。また、第２スイッチＳＷ２がオフされた場合には、第１端子ＴＭ１と第２端子ＴＭ２との間を遮断することによって、商用電源ＰＳから電源制御部３への電力の供給を遮断する。この場合には、商用電源ＰＳから画像形成装置１に電力が供給されない。
【００２２】
第１スイッチＳＷ１は、制御部２に対して操作信号ＳＧを伝送する。制御部２は、操作信号ＳＧに基づいて、電源制御部３を制御する。例えば、画像形成装置１を起動状態ＳＴＣにする場合には、制御部２は、電源制御部３に対して、制御部２に第１直流電圧ＶＤ１を供給し、画像形成部１４に第２直流電圧ＶＤ２を供給し、定着部１７に第３直流電圧ＶＤ３を供給するように指示する。また、例えば、画像形成装置１をスリープ状態ＳＴＤにする場合には、制御部２に第１直流電圧ＶＤ１を供給し、定着部１７に第３直流電圧ＶＤ３を供給し、画像形成部１４に第２直流電圧ＶＤ２を供給しないように、制御部２は電源制御部３に対して指示する。起動状態ＳＴＣ及びスリープ状態ＳＴＤについては、後述にて図４を参照して詳細に説明する。
【００２３】
以上、図１及び図２を参照して説明したように、本発明の実施形態では、第１スイッチＳＷ１と相違する第２スイッチＳＷ２を備え、第２スイッチＳＷ２がオフされた場合には、画像形成装置１への電力の供給が規制される。また、第１スイッチＳＷ１は、電源を操作するスイッチである。例えば、第１スイッチＳＷ１は、制御部２への電力の供給を停止させることはない。このように、第１スイッチＳＷ１と第２スイッチＳＷ２との機能が相違するため、ユーザーは、第１スイッチＳＷ１と第２スイッチＳＷ２とを有効に活用できる。したがって、ユーザーの利便性を向上できる。
【００２４】
なお、本発明の実施形態では、「キー」が押しボタン式の電源スイッチであるが、本発明はこれに限定されない。ユーザーからの操作に応じて、制御部２に対して操作信号ＳＧを伝送すればよい。例えば、「キー」が、ハードキーでもよい。また、例えば、「キー」が、押しボタンでもよい。
【００２５】
また、本発明の実施形態では、第２スイッチＳＷ２がシーソー式の電源スイッチであるが、本発明はこれに限定されない。第２スイッチＳＷ２が電源スイッチであればよい。例えば、第２スイッチＳＷ２がスライド式の電源スイッチでもよいし、第２スイッチＳＷ２がトグル式のスイッチでもよい。
【００２６】
次に、図１〜図３を参照して、本発明の実施形態に係る制御部２の構成について説明する。図３は、制御部２の構成の一例を示す図である。図３に示すように、制御部２は、受付部２０１と、取得部２０２と、判定部２０３と、決定部２０４と、遷移部２０５と、動作制御部２０６と、選択部２０７とを備える。具体的には、制御部２のプロセッサー２１が、制御プログラムを実行することによって、受付部２０１、取得部２０２、判定部２０３、決定部２０４、遷移部２０５、動作制御部２０６及び選択部２０７として機能する。
【００２７】
受付部２０１は、第１スイッチＳＷ１に対する操作を受け付ける。具体的には、受付部２０１は、第１スイッチＳＷ１によって生成された操作信号ＳＧを受け付ける。
【００２８】
取得部２０２は、受付部２０１が操作を受け付けた場合に、動作制御部２０６から第１動作状態情報ＳＴ１Ｊを取得する。第１動作状態情報ＳＴ１Ｊは、第１動作状態ＳＴ１を示す。第１動作状態ＳＴ１は、画像形成装置１が動作している状態を示す。
【００２９】
判定部２０３は、操作信号ＳＧに基づいて、操作が第１操作ＱＰ１であるか第２操作ＱＰ２であるかを判定する。第２操作ＱＰ２は、回数Ｎと、時間の長さＴＬとの少なくとも一方が第１操作ＱＰ１と相違する。回数Ｎは、所定時間ＴＡ内に第１スイッチＳＷ１を押下する回数を示す。時間の長さＴＬは、第１スイッチＳＷ１を連続して押下する時間の長さを示す。第１操作ＱＰ１は、例えば、１回だけ第１スイッチＳＷ１を押下する操作であり、第２操作ＱＰ２は、所定時間ＴＡ内に第１スイッチＳＷ１を２回押下する操作である。所定時間ＴＡは例えば２秒である。
【００３０】
決定部２０４は、第１動作状態情報ＳＴ１Ｊに基づいて、第２動作状態ＳＴ２を決定する。第２動作状態ＳＴ２は、画像形成装置１が動作している状態を示す。第２動作状態ＳＴ２は、第１動作状態ＳＴ１と相違する。また、決定部２０４は、第１動作状態情報ＳＴ１Ｊと判定部２０３の判定結果とに基づいて、第２動作状態ＳＴ２を決定する。
【００３１】
遷移部２０５は、第１スイッチＳＷ１に対する操作に応じて、画像形成装置１を第１動作状態ＳＴ１から第２動作状態ＳＴ２に遷移させる。
【００３２】
動作制御部２０６は、遷移部２０５の指示にしたがって、画像形成装置１の動作を制御する。すなわち、動作制御部２０６は、画像形成装置１の第１動作状態ＳＴ１から第２動作状態ＳＴ２への遷移処理を実行する。動作制御部２０６は、例えば、図１に示す画像形成部１４と、図２に示す電源制御部３との動作を制御する。
【００３３】
取得部２０２、判定部２０３、決定部２０４、遷移部２０５及び動作制御部２０６については、後述にて図４〜図９を参照して詳細に説明する。
【００３４】
選択部２０７は、第１操作ＱＰ１及び第２操作ＱＰ２から、少なくとも１つの操作を選択する。受付部２０１は、選択部２０７が選択した操作を受け付ける。
【００３５】
以上、図１〜図３を参照して説明したように、本発明の実施形態では、決定部２０４は、第１スイッチＳＷ１に対する操作と第１動作状態情報ＳＴ１Ｊとに基づいて、第２動作状態ＳＴ２を決定する。また、遷移部２０５は、画像形成装置１を第１動作状態ＳＴ１から第２動作状態ＳＴ２に遷移させる。よって、第１スイッチＳＷ１の操作によって、画像形成装置１の動作状態を遷移できる。したがって、ユーザーの利便性を向上できる。
【００３６】
また、判定部２０３は、操作が第１操作ＱＰ１であるか第２操作ＱＰ２であるかを判定する。決定部２０４は、第１動作状態情報ＳＴ１Ｊと判定部２０３の判定結果とに基づいて、第２動作状態ＳＴ２を決定する。よって、第１スイッチＳＷ１の第１操作ＱＰ１又は第２操作ＱＰ２によって、画像形成装置１の動作状態を遷移できる。よって、操作が第１操作ＱＰ１である場合の第２動作状態ＳＴ２と、操作が第２操作ＱＰ２である場合の第２動作状態ＳＴ２とを異ならせることができる。したがって、ユーザーの利便性を更に向上できる。
【００３７】
また、選択部２０７は、第１操作ＱＰ１及び第２操作ＱＰ２から、少なくとも１つの操作を選択する。受付部２０１は、選択部２０７が選択した操作を受け付ける。よって、第１スイッチＳＷ１の操作によって画像形成装置１の第２動作状態ＳＴ２（遷移先の動作状態）を選択できる。したがって、ユーザーの利便性を更に向上できる。
【００３８】
例えば、選択部２０７が、第１操作ＱＰ１だけを選択した場合には、受付部２０１は、第１操作ＱＰ１を受け付け、第２操作ＱＰ２を受け付けない。この場合には、ユーザーは、第１操作ＱＰ１をすることによって、画像形成装置１の第２動作状態ＳＴ２を選択できる。
【００３９】
また、例えば、選択部２０７が、第２操作ＱＰ２だけを選択した場合には、受付部２０１は、第２操作ＱＰ２を受け付け、第１操作ＱＰ１を受け付けない。この場合には、ユーザーは、第２操作ＱＰ２をすることによって、画像形成装置１の第２動作状態ＳＴ２を選択できる。
【００４０】
また、例えば、選択部２０７が、第１操作ＱＰ１及び第２操作ＱＰ２を選択した場合には、受付部２０１は、第１操作ＱＰ１を受け付けると共に、第２操作ＱＰ２を受け付ける。この場合には、ユーザーは、第１操作ＱＰ１又は第２操作ＱＰ２を行うことによって、画像形成装置１の第２動作状態ＳＴ２を選択できる。
【００４１】
このように、選択部２０７が第１操作ＱＰ１だけを選択した場合と、選択部２０７が第２操作ＱＰ２だけを選択した場合と、選択部２０７が第１操作ＱＰ１及び第２操作ＱＰ２を選択した場合とで、画像形成装置１の動作状態の推移を異ならせることができる。したがって、ユーザーの利便性を更に向上できる。
【００４２】
次に、図３〜図５を参照して、制御部２の構成について更に説明する。図４は、押下操作ＱＰＡを受け付ける場合における画像形成装置１の動作状態の推移の一例を示す遷移図である。押下操作ＱＰＡは、第１スイッチＳＷ１を１回だけ押下する操作を示す。また、押下操作ＱＰＡでは、第１スイッチＳＷ１を押下している時間が所定時間ＴＡ未満である。所定時間ＴＡは、例えば１秒である。押下操作ＱＰＡは、第１操作ＱＰ１の一例に相当する。
【００４３】
なお、以下の説明では、選択部２０７が、第１操作ＱＰ１及び第２操作ＱＰ２を選択している場合について説明する。具体的には、選択部２０７が、押下操作ＱＰＡ、長押操作ＱＰＢ及びダブル押下操作ＱＰＣを選択している場合について説明する。すなわち、判定部２０３は、操作が押下操作ＱＰＡであるか、長押操作ＱＰＢであるか、ダブル押下操作ＱＰＣであるかを判定する。長押操作ＱＰＢについては、後述にて図６を参照して説明し、ダブル押下操作ＱＰＣについては、後述にて図８を参照して説明する。
【００４４】
図４に示すように、画像形成装置１の動作状態ＳＴは、印刷状態ＳＴＡ、印刷停止状態ＳＴＢ、起動状態ＳＴＣ、スリープ状態ＳＴＤ及び電源オフ状態ＳＴＥを含む。動作状態ＳＴは、第１動作状態ＳＴ１と第２動作状態ＳＴ２とを含む。
【００４５】
印刷状態ＳＴＡは、画像形成装置１が印刷ジョブを実行中の状態を示す。印刷状態ＳＴＡでは、例えば制御部２、電源制御部３、画像形成部１４及び定着部１７に電力が供給される。
【００４６】
印刷停止状態ＳＴＢは、画像形成装置１が印刷ジョブの実行を停止している状態を示す。印刷停止状態ＳＴＢでは、例えば制御部２、電源制御部３、画像形成部１４及び定着部１７に電力が供給される。
【００４７】
起動状態ＳＴＣは、画像形成装置１が印刷ジョブを実行可能な状態で、且つ画像形成装置１が印刷ジョブを実行していない状態を示す。起動状態ＳＴＣは、例えば制御部２、電源制御部３、画像形成部１４及び定着部１７に電力が供給される。
【００４８】
スリープ状態ＳＴＤは、画像形成装置１によって消費される電力を低減する状態を示す。スリープ状態ＳＴＤでは、例えば、画像形成部１４には電力が供給されないが、電源制御部３、制御部２及び定着部１７には電力が供給される。
【００４９】
電源オフ状態ＳＴＥは、スリープ状態ＳＴＤと比較して画像形成装置１によって消費される電力を更に低減する状態を示す。電源オフ状態ＳＴＥでは、例えば、画像形成部１４及び定着部１７には電力が供給されないが、電源制御部３及び制御部２には電力が供給される。
【００５０】
第１動作状態ＳＴ１が印刷状態ＳＴＡであり、受付部２０１が押下操作ＱＰＡを受け付けた場合には、決定部２０４は、第２動作状態ＳＴ２を印刷停止状態ＳＴＢに決定する。そして、遷移部２０５は、画像形成装置１を印刷状態ＳＴＡから印刷停止状態ＳＴＢに遷移させる。動作制御部２０６は、画像形成装置１の印刷状態ＳＴＡから印刷停止状態ＳＴＢへの遷移処理を実行する。
【００５１】
第１動作状態ＳＴ１が印刷停止状態ＳＴＢであり、受付部２０１が押下操作ＱＰＡを受け付けた場合には、決定部２０４は、第２動作状態ＳＴ２を印刷状態ＳＴＡに決定する。そして、遷移部２０５は、画像形成装置１を印刷停止状態ＳＴＢから印刷状態ＳＴＡに遷移させる。動作制御部２０６は、画像形成装置１の印刷停止状態ＳＴＢから印刷状態ＳＴＡへの遷移処理を実行する。
【００５２】
第１動作状態ＳＴ１が印刷状態ＳＴＡであり、印刷ジョブの実行が終了した場合には、制御部２は、画像形成装置１を印刷状態ＳＴＡから起動状態ＳＴＣに遷移させる。すなわち、制御部２は、画像形成装置１の印刷状態ＳＴＡから起動状態ＳＴＣへの遷移処理を実行する。
【００５３】
第１動作状態ＳＴ１が起動状態ＳＴＣであり、受付部２０１が押下操作ＱＰＡを受け付けた場合には、決定部２０４は、第２動作状態ＳＴ２をスリープ状態ＳＴＤに決定する。そして、遷移部２０５は、画像形成装置１を起動状態ＳＴＣからスリープ状態ＳＴＤに遷移させる。動作制御部２０６は、画像形成装置１の起動状態ＳＴＣからスリープ状態ＳＴＤへの遷移処理を実行する。
【００５４】
第１動作状態ＳＴ１がスリープ状態ＳＴＤであり、受付部２０１が押下操作ＱＰＡを受け付けた場合には、決定部２０４は、第２動作状態ＳＴ２を起動状態ＳＴＣに決定する。そして、遷移部２０５は、画像形成装置１をスリープ状態ＳＴＤから起動状態ＳＴＣに遷移させる。動作制御部２０６は、画像形成装置１のスリープ状態ＳＴＤから起動状態ＳＴＣへの遷移処理を実行する。
【００５５】
第１動作状態ＳＴ１が電源オフ状態ＳＴＥであり、受付部２０１が押下操作ＱＰＡを受け付けた場合には、決定部２０４は、第２動作状態ＳＴ２を起動状態ＳＴＣに決定する。そして、遷移部２０５は、画像形成装置１を電源オフ状態ＳＴＥから起動状態ＳＴＣに遷移させる。動作制御部２０６は、画像形成装置１の電源オフ状態ＳＴＥから起動状態ＳＴＣへの遷移処理を実行する。
【００５６】
第１動作状態ＳＴ１が起動状態ＳＴＣであり、制御部２が、所定時間ＴＣの間、操作及び印刷ジョブを受け付けない場合には、制御部２は、画像形成装置１を起動状態ＳＴＣから電源オフ状態ＳＴＥに遷移させる。すなわち、制御部２は、画像形成装置１の起動状態ＳＴＣから電源オフ状態ＳＴＥへの遷移処理を実行する。所定時間ＴＣは、例えば１０分である。
【００５７】
図５は、押下操作ＱＡを受け付ける場合における制御部２の処理の一例を示すフローチャートである。
図５に示すように、ステップＳ１０１において、判定部２０３は、押下操作ＱＰＡを受付部２０１が受け付けたか否かを判定する。
押下操作ＱＰＡを受け付けていないと判定部２０３が判定した場合（ステップＳ１０１でＮＯ）には、処理が図７のステップＳ２０１に進む。押下操作ＱＰＡを受け付けたと判定部２０３が判定した場合（ステップＳ１０１でＹＥＳ）には、処理がステップＳ１０３に進む。
そして、ステップＳ１０３において、取得部２０２が動作制御部２０６から第１動作状態情報ＳＴ１Ｊを取得し、処理がステップＳ１０５、ステップＳ１０９、ステップＳ１１３、ステップＳ１１７及びステップＳ１１９に進む。第１動作状態情報ＳＴ１Ｊは、第１動作状態ＳＴ１を示す。
そして、ステップＳ１０５において、決定部２０４は、第１動作状態ＳＴ１が印刷状態ＳＴＡであることを判定する。
第１動作状態ＳＴ１が印刷状態ＳＴＡであることを決定部２０４が判定した場合には、処理がステップＳ１０７に進む。
そして、ステップＳ１０７において、決定部２０４は、第２動作状態ＳＴ２を印刷停止状態ＳＴＢに決定し、遷移部２０５は、画像形成装置１を印刷状態ＳＴＡから印刷停止状態ＳＴＢに遷移させる。動作制御部２０６は、画像形成装置１の印刷状態ＳＴＡから印刷停止状態ＳＴＢへの遷移処理を実行する。その後、処理がステップＳ１０１へリターンする。
【００５８】
そして、ステップＳ１０９において、決定部２０４は、第１動作状態ＳＴ１が印刷停止状態ＳＴＢであることを判定する。
第１動作状態ＳＴ１が印刷停止状態ＳＴＢであることを決定部２０４が判定した場合には、処理がステップＳ１１１に進む。
そして、ステップＳ１１１において、決定部２０４は、第２動作状態ＳＴ２を印刷状態ＳＴＡに決定し、遷移部２０５は、画像形成装置１を印刷停止状態ＳＴＢから印刷状態ＳＴＡに遷移させる。動作制御部２０６は、画像形成装置１の印刷停止状態ＳＴＢから印刷状態ＳＴＡへの遷移処理を実行する。その後、処理がステップＳ１０１へリターンする。
【００５９】
そして、ステップＳ１１３において、決定部２０４は、第１動作状態ＳＴ１が起動状態ＳＴＣであることを判定する。
第１動作状態ＳＴ１が起動状態ＳＴＣであることを決定部２０４が判定した場合には、処理がステップＳ１１５に進む。
そして、ステップＳ１１５において、決定部２０４は、第２動作状態ＳＴ２をスリープ状態ＳＴＤに決定し、遷移部２０５は、画像形成装置１を起動状態ＳＴＣからスリープ状態ＳＴＤに遷移させる。動作制御部２０６は、画像形成装置１の起動状態ＳＴＣからスリープ状態ＳＴＤへの遷移処理を実行する。その後、処理がステップＳ１０１へリターンする。
【００６０】
そして、ステップＳ１１７において、決定部２０４は、第１動作状態ＳＴ１がスリープ状態ＳＴＤであることを判定する。
第１動作状態ＳＴ１がスリープ状態ＳＴＤであることを決定部２０４が判定した場合には、処理がステップＳ１２１に進む。
そして、ステップＳ１２１において、決定部２０４は、第２動作状態ＳＴ２を起動状態ＳＴＣに決定し、遷移部２０５は、画像形成装置１をスリープ状態ＳＴＤから起動状態ＳＴＣに遷移させる。動作制御部２０６は、画像形成装置１のスリープ状態ＳＴＤから起動状態ＳＴＣへの遷移処理を実行する。その後、処理がステップＳ１０１へリターンする。
【００６１】
そして、ステップＳ１１９において、決定部２０４は、第１動作状態ＳＴ１が電源オフ状態ＳＴＥであることを判定する。
第１動作状態ＳＴ１が電源オフ状態ＳＴＥであることを決定部２０４が判定した場合には、処理がステップＳ１２１に進む。
そして、ステップＳ１２１において、決定部２０４は、第２動作状態ＳＴ２を起動状態ＳＴＣに決定し、遷移部２０５は、画像形成装置１を電源オフ状態ＳＴＥから起動状態ＳＴＣに遷移させる。動作制御部２０６は、画像形成装置１の電源オフ状態ＳＴＥから起動状態ＳＴＣへの遷移処理を実行する。その後、処理がステップＳ１０１へリターンする。
【００６２】
以上、図３〜図５を参照して説明したように、本発明の実施形態では、決定部２０４は、第１動作状態ＳＴ１が印刷状態ＳＴＡである場合には、第２動作状態ＳＴ２を印刷停止状態ＳＴＢに決定し、第１動作状態ＳＴ１が印刷停止状態ＳＴＢである場合には、第２動作状態ＳＴ２を印刷状態ＳＴＡに決定する。したがって、第１スイッチＳＷ１の押下操作ＱＰＡによって、印刷状態ＳＴＡと印刷停止状態ＳＴＢとを交互に遷移できる。したがって、ユーザーの利便性を更に向上できる。
【００６３】
また、決定部２０４は、第１動作状態ＳＴ１が起動状態ＳＴＣである場合には、第２動作状態ＳＴ２をスリープ状態ＳＴＤに決定し、第１動作状態ＳＴ１がスリープ状態ＳＴＤである場合には、第２動作状態ＳＴ２を起動状態ＳＴＣに決定する。したがって、第１スイッチＳＷ１の押下操作ＱＰＡによって、起動状態ＳＴＣとスリープ状態ＳＴＤとを交互に遷移できる。したがって、ユーザーの利便性を更に向上できる。
【００６４】
次に、図３〜図７を参照して、制御部２の構成について更に説明する。図６は、長押操作ＱＰＢを受け付ける場合における画像形成装置１の動作状態の推移の一例を示す遷移図である。長押操作ＱＰＢは、第１スイッチＳＷ１を１回だけ押下する操作を示す。また、長押操作ＱＰＢでは、第１スイッチＳＷ１を押下している時間が所定時間ＴＢ以上である。所定時間ＴＢは、例えば２秒である。長押操作ＱＰＢは、第２操作ＱＰ２の一例に相当する。
【００６５】
図６に示すように、画像形成装置１の動作状態は、図４に示す印刷状態ＳＴＡ、印刷停止状態ＳＴＢ、起動状態ＳＴＣ、スリープ状態ＳＴＤ及び電源オフ状態ＳＴＥに加えて、印刷キャンセル状態ＳＴＦを更に含む。
【００６６】
印刷キャンセル状態ＳＴＦは、画像形成装置１が印刷ジョブをキャンセル中の状態を示す。すなわち、印刷キャンセル状態ＳＴＦでは、画像形成装置１が印刷ジョブを取り消す。印刷キャンセル状態ＳＴＦでは、例えば制御部２、電源制御部３、画像形成部１４及び定着部１７に電力が供給される。
【００６７】
印刷キャンセル状態ＳＴＦにおける印刷ジョブのキャンセル処理が終了した場合には、制御部２は、印刷キャンセル状態ＳＴＦから起動状態ＳＴＣに遷移させる。動作制御部２０６は、画像形成装置１の印刷キャンセル状態ＳＴＦから起動状態ＳＴＣへの遷移処理を実行する。
【００６８】
第１動作状態ＳＴ１が印刷状態ＳＴＡであり、受付部２０１が長押操作ＱＰＢを受け付けた場合には、決定部２０４は、第２動作状態ＳＴ２を印刷停止状態ＳＴＢに決定する。そして、遷移部２０５は、画像形成装置１を印刷状態ＳＴＡから印刷停止状態ＳＴＢに遷移させる。動作制御部２０６は、画像形成装置１の印刷状態ＳＴＡから印刷停止状態ＳＴＢへの遷移処理を実行する。
【００６９】
第１動作状態ＳＴ１が印刷停止状態ＳＴＢであり、制御部２が、所定時間ＴＤの間、操作及び印刷ジョブを受け付けない場合には、制御部２は、画像形成装置１を印刷停止状態ＳＴＢから印刷状態ＳＴＡに遷移させる。すなわち、制御部２は、画像形成装置１の印刷停止状態ＳＴＢから印刷状態ＳＴＡへの遷移処理を実行する。所定時間ＴＤは、例えば、１０分である。
【００７０】
第１動作状態ＳＴ１が印刷状態ＳＴＡであり、印刷ジョブの実行が終了した場合には、制御部２は、画像形成装置１を印刷状態ＳＴＡから起動状態ＳＴＣに遷移させる。すなわち、制御部２は、画像形成装置１の印刷状態ＳＴＡから起動状態ＳＴＣへの遷移処理を実行する。
【００７１】
第１動作状態ＳＴ１が起動状態ＳＴＣであり、受付部２０１が長押操作ＱＰＢを受け付けた場合には、決定部２０４は、第２動作状態ＳＴ２を電源オフ状態ＳＴＥに決定する。そして、遷移部２０５は、画像形成装置１を起動状態ＳＴＣから電源オフ状態ＳＴＥに遷移させる。動作制御部２０６は、画像形成装置１の起動状態ＳＴＣから電源オフ状態ＳＴＥへの遷移処理を実行する。
【００７２】
第１動作状態ＳＴ１が電源オフ状態ＳＴＥであり、受付部２０１が長押操作ＱＰＢを受け付けた場合には、決定部２０４は、第２動作状態ＳＴ２を起動状態ＳＴＣに決定する。そして、遷移部２０５は、画像形成装置１を電源オフ状態ＳＴＥから起動状態ＳＴＣに遷移させる。動作制御部２０６は、画像形成装置１の電源オフ状態ＳＴＥから起動状態ＳＴＣへの遷移処理を実行する。
【００７３】
第１動作状態ＳＴ１がスリープ状態ＳＴＤであり、受付部２０１が長押操作ＱＰＢを受け付けた場合には、決定部２０４は、第２動作状態ＳＴ２を起動状態ＳＴＣに決定する。そして、遷移部２０５は、画像形成装置１をスリープ状態ＳＴＤから起動状態ＳＴＣに遷移させる。動作制御部２０６は、画像形成装置１のスリープ状態ＳＴＤから起動状態ＳＴＣへの遷移処理を実行する。
【００７４】
第１動作状態ＳＴ１が起動状態ＳＴＣであり、制御部２が、所定時間ＴＥの間、操作及び印刷ジョブを受け付けない場合には、制御部２は、画像形成装置１を起動状態ＳＴＣからスリープ状態ＳＴＤに遷移させる。すなわち、制御部２は、画像形成装置１の起動状態ＳＴＣからスリープ状態ＳＴＤへの遷移処理を実行する。所定時間ＴＥは、例えば、１０分である。
【００７５】
図７は、長押操作ＱＰＢを受け付ける場合における制御部２の処理の一例を示すフローチャートである。
図７に示すように、ステップＳ２０１において、判定部２０３は、長押操作ＱＰＢを受付部２０１が受け付けたか否かを判定する。
長押操作ＱＰＢを受け付けていないと判定部２０３が判定した場合（ステップＳ２０１でＮＯ）には、処理が図９のステップＳ３０１に進む。長押操作ＱＰＢを受け付けたと判定部２０３が判定した場合（ステップＳ２０１でＹＥＳ）には、処理がステップＳ２０３に進む。
そして、ステップＳ２０３において、取得部２０２が動作制御部２０６から第１動作状態情報ＳＴ１Ｊを取得し、処理がステップＳ２０５、ステップＳ２０９、ステップＳ２１３、ステップＳ２１７及びステップＳ２１９に進む。第１動作状態情報ＳＴ１Ｊは、第１動作状態ＳＴ１を示す。
そして、ステップＳ２０５において、決定部２０４は、第１動作状態ＳＴ１が印刷状態ＳＴＡであることを判定する。
第１動作状態ＳＴ１が印刷状態ＳＴＡであることを決定部２０４が判定した場合には、処理がステップＳ２０７に進む。
そして、ステップＳ２０７において、決定部２０４は、第２動作状態ＳＴ２を印刷停止状態ＳＴＢに決定し、遷移部２０５は、画像形成装置１を印刷状態ＳＴＡから印刷停止状態ＳＴＢに遷移させる。動作制御部２０６は、画像形成装置１の印刷状態ＳＴＡから印刷停止状態ＳＴＢへの遷移処理を実行する。その後、処理がステップＳ２０１へリターンする。
【００７６】
そして、ステップＳ２０９において、決定部２０４は、第１動作状態ＳＴ１が印刷停止状態ＳＴＢであることを判定する。
第１動作状態ＳＴ１が印刷停止状態ＳＴＢであることを決定部２０４が判定した場合には、処理がステップＳ２１１に進む。
そして、ステップＳ２１１において、決定部２０４は、第２動作状態ＳＴ２を印刷キャンセル状態ＳＴＦに決定し、遷移部２０５は、画像形成装置１を印刷停止状態ＳＴＢから印刷キャンセル状態ＳＴＦに遷移させる。動作制御部２０６は、画像形成装置１の印刷停止状態ＳＴＢから印刷キャンセル状態ＳＴＦへの遷移処理を実行する。その後、処理がステップＳ１０１へリターンする。
【００７７】
そして、ステップＳ２１３において、決定部２０４は、第１動作状態ＳＴ１が起動状態ＳＴＣであることを判定する。
第１動作状態ＳＴ１が起動状態ＳＴＣであることを決定部２０４が判定した場合には、処理がステップＳ２１５に進む。
そして、ステップＳ２１５において、決定部２０４は、第２動作状態ＳＴ２を電源オフ状態ＳＴＥに決定し、遷移部２０５は、画像形成装置１を起動状態ＳＴＣから電源オフ状態ＳＴＥに遷移させる。動作制御部２０６は、画像形成装置１の起動状態ＳＴＣから電源オフ状態ＳＴＥへの遷移処理を実行する。その後、処理がステップＳ２０１へリターンする。
【００７８】
そして、ステップＳ２１７において、決定部２０４は、第１動作状態ＳＴ１がスリープ状態ＳＴＤであることを判定する。
第１動作状態ＳＴ１がスリープ状態ＳＴＤであることを決定部２０４が判定した場合には、処理がステップＳ２２１に進む。
そして、ステップＳ２２１において、決定部２０４は、第２動作状態ＳＴ２を起動状態ＳＴＣに決定し、遷移部２０５は、画像形成装置１をスリープ状態ＳＴＤから起動状態ＳＴＣに遷移させる。動作制御部２０６は、画像形成装置１のスリープ状態ＳＴＤから起動状態ＳＴＣへの遷移処理を実行する。その後、処理がステップＳ２０１へリターンする。
【００７９】
そして、ステップＳ２１９において、決定部２０４は、第１動作状態ＳＴ１が電源オフ状態ＳＴＥであることを判定する。
第１動作状態ＳＴ１が電源オフ状態ＳＴＥであることを決定部２０４が判定した場合には、処理がステップＳ２２１に進む。
そして、ステップＳ２２１において、決定部２０４は、第２動作状態ＳＴ２を起動状態ＳＴＣに決定し、遷移部２０５は、画像形成装置１を電源オフ状態ＳＴＥから起動状態ＳＴＣに遷移させる。動作制御部２０６は、画像形成装置１の電源オフ状態ＳＴＥから起動状態ＳＴＣへの遷移処理を実行する。その後、処理がステップＳ２０１へリターンする。
【００８０】
以上、図３〜図７を参照して説明したように、本発明の実施形態では、決定部２０４は、第１動作状態ＳＴ１が印刷状態ＳＴＡである場合には、第２動作状態ＳＴ２を印刷停止状態ＳＴＢに決定し、第１動作状態ＳＴ１が印刷停止状態ＳＴＢである場合には、第２動作状態ＳＴ２を印刷キャンセル状態ＳＴＦに決定する。よって、第１スイッチＳＷ１の長押操作ＱＰＢによって、印刷状態ＳＴＡから印刷停止状態ＳＴＢに遷移でき、印刷停止状態ＳＴＢから印刷キャンセル状態ＳＴＦに遷移できる。したがって、ユーザーの利便性を更に向上できる。
【００８１】
また、決定部２０４は、第１動作状態ＳＴ１が電源オフ状態ＳＴＥである場合には、第２動作状態ＳＴ２を起動状態ＳＴＣに決定し、第１動作状態ＳＴ１が起動状態ＳＴＣである場合には、第２動作状態ＳＴ２を電源オフ状態ＳＴＥに決定し、第１動作状態ＳＴ１がスリープ状態ＳＴＤである場合には、第２動作状態ＳＴ２を起動状態ＳＴＣに決定する。よって、第１スイッチＳＷ１の長押操作ＱＰＢによって、起動状態ＳＴＣから電源オフ状態ＳＴＥに遷移でき、電源オフ状態ＳＴＥ及びスリープ状態ＳＴＤの各々から起動状態ＳＴＣに遷移できる。したがって、ユーザーの利便性を更に向上できる。
【００８２】
また、第１スイッチＳＷ１の長押操作ＱＰＢによって、起動状態ＳＴＣと電源オフ状態ＳＴＥとを交互に遷移できる。よって、ユーザーの利便性を更に向上できる。更に、第１スイッチＳＷ１の長押操作ＱＰＢによって、スリープ状態ＳＴＤから起動状態ＳＴＣに遷移できる。また、第１動作状態ＳＴ１が起動状態ＳＴＣであり、制御部２が、所定時間ＴＥの間、操作及び印刷ジョブを受け付けない場合には、制御部２は、画像形成装置１をスリープ状態ＳＴＤに遷移させる。したがって、画像形成装置１の消費電力を効果的に削減できる。
【００８３】
次に、図３〜図９を参照して、制御部２の構成について更に説明する。図８は、ダブル押下操作ＱＰＣを受け付ける場における画像形成装置１動作状態の推移の一例を示す遷移図である。ダブル押下操作ＱＰＣは、第１スイッチＳＷ１を所定時間ＴＡ内で２回押下する操作を示す。所定時間ＴＡは、例えば２秒である。ダブル押下操作ＱＰＣは、第２操作ＱＰ２の一例に相当する。
【００８４】
図８に示すように、画像形成装置１の動作状態は、図６に示す印刷状態ＳＴＡ、印刷停止状態ＳＴＢ、印刷キャンセル状態ＳＴＦ、起動状態ＳＴＣ、スリープ状態ＳＴＤ及び電源オフ状態ＳＴＥに加えて、ステータス印刷状態ＳＴＧを更に含む。
【００８５】
ステータス印刷状態ＳＴＧは、画像形成装置１の主な設定内容の一覧を印刷中である状態を示す。設定内容は、設定項目毎の設定値（又は、設定状態）を含む。設定項目は、例えば、モノクロ及びカラーの設定、両面印刷及び片面印刷の設定、印刷上限枚数の設定を含む。ステータス印刷状態ＳＴＧでは、例えば制御部２、電源制御部３、画像形成部１４及び定着部１７に電力が供給される。
【００８６】
第１動作状態ＳＴ１が印刷停止状態ＳＴＢであり、受付部２０１がダブル押下操作ＱＰＣを受け付けた場合には、決定部２０４は、第２動作状態ＳＴ２を印刷状態ＳＴＡに決定する。そして、遷移部２０５は、画像形成装置１を印刷停止状態ＳＴＢから印刷状態ＳＴＡに遷移させる。動作制御部２０６は、画像形成装置１の印刷停止状態ＳＴＢから印刷状態ＳＴＡへの遷移処理を実行する。
【００８７】
第１動作状態ＳＴ１が印刷状態ＳＴＡであり、制御部２がジャムの発生を検出した場合には、制御部２は、画像形成装置１を印刷状態ＳＴＡから印刷停止状態ＳＴＢに遷移させる。すなわち、制御部２は、画像形成装置１の印刷状態ＳＴＡから印刷停止状態ＳＴＢへの遷移処理を実行する。
【００８８】
第１動作状態ＳＴ１が印刷状態ＳＴＡであり、受付部２０１がダブル押下操作ＱＰＣを受け付けた場合には、決定部２０４は、第２動作状態ＳＴ２を印刷キャンセル状態ＳＴＦに決定する。そして、遷移部２０５は、画像形成装置１を印刷状態ＳＴＡから印刷キャンセル状態ＳＴＦに遷移させる。動作制御部２０６は、画像形成装置１の印刷状態ＳＴＡから印刷キャンセル状態ＳＴＦへの遷移処理を実行する。
【００８９】
印刷キャンセル状態ＳＴＦにおける印刷ジョブのキャンセル処理が終了した場合には、制御部２は、印刷キャンセル状態ＳＴＦから起動状態ＳＴＣに遷移させる。すなわち、制御部２は、画像形成装置１の印刷キャンセル状態ＳＴＦから起動状態ＳＴＣへの遷移処理を実行する。
【００９０】
第１動作状態ＳＴ１が印刷状態ＳＴＡであり、印刷ジョブの実行が終了した場合には、制御部２は、画像形成装置１を印刷状態ＳＴＡから起動状態ＳＴＣに遷移させる。すなわち、制御部２は、画像形成装置１の印刷状態ＳＴＡから起動状態ＳＴＣへの遷移処理を実行する。
【００９１】
第１動作状態ＳＴ１が起動状態ＳＴＣであり、受付部２０１がダブル押下操作ＱＰＣを受け付けた場合には、決定部２０４は、第２動作状態ＳＴ２をステータス印刷状態ＳＴＧに決定する。そして、遷移部２０５は、画像形成装置１を起動状態ＳＴＣからステータス印刷状態ＳＴＧに遷移させる。動作制御部２０６は、画像形成装置１の起動状態ＳＴＣからステータス印刷状態ＳＴＧへの遷移処理を実行する。
【００９２】
ステータス印刷状態ＳＴＧにおける主な設定内容の一覧の印刷処理が終了した場合には、制御部２は、画像形成装置１をステータス印刷状態ＳＴＧから起動状態ＳＴＣに遷移させる。すなわち、制御部２は、画像形成装置１のステータス印刷状態ＳＴＧから起動状態ＳＴＣへの遷移処理を実行する。
【００９３】
第１動作状態ＳＴ１が電源オフ状態ＳＴＥであり、受付部２０１がダブル押下操作ＱＰＣを受け付けた場合には、決定部２０４は、第２動作状態ＳＴ２を起動状態ＳＴＣに決定する。そして、遷移部２０５は、画像形成装置１を電源オフ状態ＳＴＥから起動状態ＳＴＣに遷移させる。動作制御部２０６は、画像形成装置１の電源オフ状態ＳＴＥから起動状態ＳＴＣへの遷移処理を実行する。
【００９４】
第１動作状態ＳＴ１がスリープ状態ＳＴＤであり、受付部２０１がダブル押下操作ＱＰＣを受け付けた場合には、決定部２０４は、第２動作状態ＳＴ２を起動状態ＳＴＣに決定する。そして、遷移部２０５は、画像形成装置１をスリープ状態ＳＴＤから起動状態ＳＴＣに遷移させる。動作制御部２０６は、画像形成装置１のスリープ状態ＳＴＤから起動状態ＳＴＣへの遷移処理を実行する。
【００９５】
第１動作状態ＳＴ１が起動状態ＳＴＣであり、制御部２が、所定時間ＴＦの間、操作及び印刷ジョブを受け付けない場合には、制御部２は、画像形成装置１を起動状態ＳＴＣからスリープ状態ＳＴＤに遷移させる。すなわち、制御部２は、画像形成装置１の起動状態ＳＴＣからスリープ状態ＳＴＤへの遷移処理を実行する。所定時間ＴＦは、例えば、１０分である。
【００９６】
第１動作状態ＳＴ１がスリープ状態ＳＴＤであり、制御部２が、所定時間ＴＧの間、操作及び印刷ジョブを受け付けない場合には、制御部２は、画像形成装置１をスリープ状態ＳＴＤから電源オフ状態ＳＴＥに遷移させる。すなわち、制御部２は、画像形成装置１のスリープ状態ＳＴＤから電源オフ状態ＳＴＥへの遷移処理を実行する。所定時間ＴＧは、例えば、２０分である。
【００９７】
図９は、ダブル押下操作ＱＰＣを受け付ける場合の制御部２の処理の一例を示すフローチャートである。
図９に示すように、ステップＳ３０１において、判定部２０３は、ダブル押下操作ＱＰＣを受付部２０１が受け付けたか否かを判定する。
ダブル押下操作ＱＰＣを受け付けていないと判定部２０３が判定した場合（ステップＳ３０１でＮＯ）には、処理が図５のステップＳ１０１に戻る。ダブル押下操作ＱＰＣを受け付けたと判定部２０３が判定した場合（ステップＳ３０１でＹＥＳ）には、処理がステップＳ３０３に進む。
そして、ステップＳ３０３において、取得部２０２が動作制御部２０６から第１動作状態情報ＳＴ１Ｊを取得し、処理がステップＳ３０５、ステップＳ３０９、ステップＳ３１３、ステップＳ３１７及びステップＳ３１９に進む。第１動作状態情報ＳＴ１Ｊは、第１動作状態ＳＴ１を示す。
そして、ステップＳ３０５において、決定部２０４は、第１動作状態ＳＴ１が印刷停止状態ＳＴＢであることを判定する。
第１動作状態ＳＴ１が印刷停止状態ＳＴＢであることを決定部２０４が判定した場合には、処理がステップＳ３０７に進む。
そして、ステップＳ３０７において、決定部２０４は、第２動作状態ＳＴ２を印刷状態ＳＴＡに決定し、遷移部２０５は、画像形成装置１を印刷停止状態ＳＴＢから印刷状態ＳＴＡに遷移させる。動作制御部２０６は、画像形成装置１の印刷停止状態ＳＴＢから印刷状態ＳＴＡへの遷移処理を実行する。その後、処理がステップＳ３０１へリターンする。
【００９８】
そして、ステップＳ３０９において、決定部２０４は、第１動作状態ＳＴ１が印刷状態ＳＴＡであることを判定する。
第１動作状態ＳＴ１が印刷状態ＳＴＡであることを決定部２０４が判定した場合には、処理がステップＳ３１１に進む。
そして、ステップＳ３１１において、決定部２０４は、第２動作状態ＳＴ２を印刷キャンセル状態ＳＴＦに決定し、遷移部２０５は、画像形成装置１を印刷状態ＳＴＡから印刷キャンセル状態ＳＴＦに遷移させる。動作制御部２０６は、画像形成装置１の印刷状態ＳＴＡから印刷キャンセル状態ＳＴＦへの遷移処理を実行する。その後、処理がステップＳ３０１へリターンする。
【００９９】
そして、ステップＳ３１３において、決定部２０４は、第１動作状態ＳＴ１が起動状態ＳＴＣであることを判定する。
第１動作状態ＳＴ１が起動状態ＳＴＣであることを決定部２０４が判定した場合には、処理がステップＳ３１５に進む。
そして、ステップＳ３１５において、決定部２０４は、第２動作状態ＳＴ２をステータス印刷状態ＳＴＧに決定し、遷移部２０５は、画像形成装置１を起動状態ＳＴＣからステータス印刷状態ＳＴＧに遷移させる。動作制御部２０６は、画像形成装置１の起動状態ＳＴＣからステータス印刷状態ＳＴＧへの遷移処理を実行する。その後、処理がステップＳ２０１へリターンする。
【０１００】
そして、ステップＳ３１７において、決定部２０４は、第１動作状態ＳＴ１がスリープ状態ＳＴＤであることを判定する。
第１動作状態ＳＴ１がスリープ状態ＳＴＤであることを決定部２０４が判定した場合には、処理がステップＳ３２１に進む。
そして、ステップＳ３２１において、決定部２０４は、第２動作状態ＳＴ２を起動状態ＳＴＣに決定し、遷移部２０５は、画像形成装置１をスリープ状態ＳＴＤから起動状態ＳＴＣに遷移させる。動作制御部２０６は、画像形成装置１のスリープ状態ＳＴＤから起動状態ＳＴＣへの遷移処理を実行する。その後、処理がステップＳ３０１へリターンする。
【０１０１】
そして、ステップＳ３１９において、決定部２０４は、第１動作状態ＳＴ１が電源オフ状態ＳＴＥであることを判定する。
第１動作状態ＳＴ１が電源オフ状態ＳＴＥであることを決定部２０４が判定した場合には、処理がステップＳ３２１に進む。
そして、ステップＳ３２１において、決定部２０４は、第２動作状態ＳＴ２を起動状態ＳＴＣに決定し、遷移部２０５は、画像形成装置１を電源オフ状態ＳＴＥから起動状態ＳＴＣに遷移させる。動作制御部２０６は、画像形成装置１の電源オフ状態ＳＴＥから起動状態ＳＴＣへの遷移処理を実行する。その後、処理がステップＳ３０１へリターンする。
【０１０２】
以上、図３〜図９を参照して説明したように、本発明の実施形態では、決定部２０４は、第１動作状態ＳＴ１が印刷状態ＳＴＡである場合には、第２動作状態ＳＴ２をステータス印刷状態ＳＴＧに決定し、遷移部２０５は、画像形成装置１を起動状態ＳＴＣからステータス印刷状態ＳＴＧに遷移させる。よって、画像形成装置１の主な設定内容の一覧を容易に印刷することができる。したがって、ユーザーの利便性を更に向上できる。
【０１０３】
また、決定部２０４は、第１動作状態ＳＴ１が電源オフ状態ＳＴＥである場合には、第２動作状態ＳＴ２を起動状態ＳＴＣに決定し、第１動作状態ＳＴ１がスリープ状態ＳＴＤである場合には、第２動作状態ＳＴ２を起動状態ＳＴＣに決定する。よって、第１スイッチＳＷ１のダブル押下操作ＱＰＣによって、電源オフ状態ＳＴＥ及びスリープ状態ＳＴＤの各々から起動状態ＳＴＣに遷移できる。したがって、ユーザーの利便性を更に向上できる。
【０１０４】
また、第１動作状態ＳＴ１が起動状態ＳＴＣであり、制御部２が、所定時間ＴＦの間、操作及び印刷ジョブを受け付けない場合には、制御部２は、画像形成装置１をスリープ状態ＳＴＤに遷移させる。第１動作状態ＳＴ１がスリープ状態ＳＴＤであり、制御部２が、所定時間ＴＧの間、操作及び印刷ジョブを受け付けない場合には、制御部２は、画像形成装置１を電源オフ状態ＳＴＥに遷移させる。よって、ユーザーが操作をすることなく、画像形成装置１の消費電力を効果的に削減できる。
【０１０５】
なお、本発明の実施形態では、選択部２０７が、第１操作ＱＰ１及び第２操作ＱＰ２を選択している場合について説明し、第１操作ＱＰ１が押下操作ＱＰＡであり、第２操作ＱＰ２が長押操作ＱＰＢ及びダブル押下操作ＱＰＣである。すなわち、受付部２０１が３種類の操作（押下操作ＱＰＡ、長押操作ＱＰＢ及びダブル押下操作ＱＰＣ）を受け付けるが、本発明はこれに限定されない。例えば、選択部２０７が第１操作ＱＰ１を選択し、受付部２０１が１種類の操作（例えば、押下操作ＱＰＡ）のみを受け付けてもよい。
【０１０６】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【０１０７】
（１）図１を参照して説明したように、本発明の実施形態では、画像形成装置１がプリンターであるが、本発明はこれに限定されない。画像形成装置１が画像形成部１４を備えればよい。例えば、画像形成装置１が複合機でもよい。
【０１０８】
（２）図１及び図２を参照して説明したように、本発明の実施形態では、画像形成装置１が第１スイッチＳＷ１と第２スイッチＳＷ２とを備えるが、本発明はこれに限定されない。画像形成装置１が第１スイッチＳＷ１を備えればよい。
【産業上の利用可能性】
【０１０９】
本発明は、画像形成装置に関するものであり、産業上の利用可能性を有する。
【符号の説明】
【０１１０】
１    画像形成装置
１４    画像形成部
２    制御部
２１    プロセッサー
２２    記憶部
２０１    受付部
２０２    取得部
２０３    決定部
２０４    遷移部
２０５    動作制御部
２０６    選択部
３    電源制御部
ＳＷ１    第１スイッチ（キー）
ＳＷ２    第２スイッチ（電源スイッチ）
ＳＴ    動作状態
ＳＴ１    第１動作状態
ＳＴ２    第２動作状態
ＳＴＡ    印刷状態
ＳＴＢ    印刷停止状態
ＳＴＣ    起動状態
ＳＴＤ    スリープ状態
ＳＴＥ    電源オフ状態
ＳＴＦ    印刷キャンセル状態
ＳＴＧ    ステータス印刷状態
ＱＰ１    第１操作
ＱＰ２    第２操作
ＱＰＡ    押下操作
ＱＰＢ    長押操作
ＱＰＣ    ダブル押下操作
【図１】
2019199039.tif 000003
【図２】
2019199039.tif 000004
【図３】
2019199039.tif 000005
【図４】
2019199039.tif 000006
【図５】
2019199039.tif 000007
【図６】
2019199039.tif 000008
【図７】
2019199039.tif 000009
【図８】
2019199039.tif 000010
【図９】
2019199039.tif 000011